(57)【要約】【課題】圧迫感を感じることなく、たばこの煙の捕集効率を高めることができ、また、健康上の悪影響を少なくすることのできる空気清浄装置を提供することを目的とする。【解決手段】集塵部６および送風装置３を設けた本体７の一端部の上面より突出して設けられる吹出口１１を有した吹出部１０と、本体７の他端部の上面より突出し、吹出口１１に対向して設けられる吸込口１５を有した吸込部１４とを設け、吹出口１１と吸込口１５間に略水平方向の気流を形成することにより、圧迫感を感じることなく、たばこの煙の捕集効率を高めることのできる空気清浄装置が得られる。【選択図】  図１
2004301422.tif 000002
【特許請求の範囲】
【請求項１】
内部に集塵部および送風装置を設けた本体と、この本体の一端部の上面より突出して設けられる吹出口を有した吹出部と、前記本体の他端部の上面より突出し、前記吹出口に対向して設けられる吸込口を有した吸込部とを備え、前記本体上に、前記吹出口と吸込口間に略水平方向に流れる空気流を形成する構成とした空気清浄装置。
【請求項２】
内部に集塵部および送風装置を設けた本体と、この本体の一端部に前記送風装置の吹出空気流路に連通する吹出側空気通路と吹出口を有する形状で喫煙空間と非喫煙空間を区分けするように設けられるパネルと、このパネルの吹出口に対向し、前記本体の他端部の上面より突出した吸込部に設けられる吸込口とを備え、前記本体上に、前記パネル側に設けた吹出口と前記本体側に設けた吸込口間に略水平方向に流れる空気流を形成する構成とした空気清浄装置。
【請求項３】
内部に集塵部および送風装置を設けた本体と、この本体の一端部に前記送風装置の吹出空気流路に連通する吹出側空気通路と吹出口を有する形状で喫煙空間と非喫煙空間を区分けするように設けられる吹出側パネルと、この吹出側パネルの吹出口に対向し、前記送風装置の吸込空気流路に連通する吸込側空気通路と吸込口を有する形状で喫煙空間と非喫煙空間を区分けするように設けられる吸込側パネルとを備え、前記本体上に、前記吹出側パネルに設けられた吹出口と、前記吸込側パネル側に設けられた吸込口間に略水平方向に流れる空気流を形成する構成とした空気清浄装置。
【請求項４】
吹出口から吹き出される吹き出し空気風量より、吸込口から吸い込まれる吸い込み空気風量を大きくした請求項１、２または３記載の空気清浄装置。
【請求項５】
本体内に設けられる送風装置の吸込空気流路と吹出空気流路および吹出口から吸込口間に略水平方向に流れる空気流とにより循環空気風路を形成した請求項１、２、３または４記載の空気清浄装置。
【請求項６】
送風装置の吹出空気流路に連通する連通口を本体の下部に設け、循環する清浄空気の一部を本体外部に排出する構成とした請求項１、２、３、４または５記載の空気清浄装置。
【請求項７】
吹出口と吸込口に風速を略均一にする整流板を設けた請求項１、２、３、４、５または６記載の空気清浄装置。
【請求項８】
本体の上面に送風装置の吸込空気流路に連通する本体側吸込口を設けた請求項１、２、３、４、５、６または７記載の空気清浄装置。
【請求項９】
吹出側となる本体の吹出部またはパネルに、吸込口に向かい略水平に送風する水平吹出口と、本体側吸込口に向かい斜め下方に送風する斜め吹出口を設け、前記斜め吹出口を前記水平吹出口の下方側に配設し、前記水平吹出口および斜め吹出口より送風する構成とした請求項１、２、３、４、５、６、７または８記載の空気清浄装置。
【請求項１０】
斜め吹出口を縦長に形成した請求項９記載の空気清浄装置。
【請求項１１】
水平吹出口と斜め吹出口間の吹出側空気通路に吹き出す風量を可変する吹出弁を設け、吸込口の下流側に吸い込み風量を可変する吸込弁を設け、前記水平吹出口と吸込口の風量を一定に保つように構成した請求項９または１０記載の空気清浄装置。
【請求項１２】
水平吹出口と斜め吹出口の上流側に空気溜め部を設けた請求項９、１０または１１記載の空気清浄装置。
【発明の詳細な説明】
【０００１】
【発明の属する技術分野】
本発明は、オフィス、病院、市役所等の公共施設に設置されたばこの煙が喫煙空間から非喫煙空間に排出されないようにたばこの煙を捕集できる空気清浄装置に関する。
【０００２】
【従来の技術】
従来、この種の気流制御型分煙機は、室内の一角を容易に喫煙空間にでき、たばこの煙を、その喫煙空間内から流出させず清浄化してから室内に戻し循環させ、喫煙空間内ではたばこの煙を直ちに吸引して他の喫煙者に煙がかからないようにしている（例えば特許文献１参照。）また、空気清浄機において、テーブル近傍で発生するたばこの煙および喫煙者の口またはくわえたばこから発生するたばこの煙も捕集して浄化し、環境の悪化を防止するものもある（例えば特許文献２参照。）。
【０００３】
【特許文献１】
特開２０００―５５４２８号公報（［００１９］〜［００２３］図１、図２）
【特許文献２】
特開平１０―２８１５０９号公報（［００１１］〜［００１５］図１）
【０００４】
【発明が解決しようとする課題】
このような、従来の［特許文献１］の構成では、喫煙室と非喫煙室を仕切るのにエアーカーテンを利用し、喫煙室側は負圧状態になるように構成するために、大容量の送風機や、エアーカーテンを形成するためのクロスフローファンが必要になると共に、電機集塵機も大容量のものが必要となり、騒音も大きくなるという課題があり、送風機および集塵部の容量を小さくすることができ、装置の小型化および騒音の低減を図ることができるようにすることが要求されている。
【０００５】
また、［特許文献２］の構成では、上部に吹出部を設け、下方向に風を吹き出すため、垂直筒や通風ダクトをテーブル上に設けなければならないため構造が複雑となり大型になるという課題があり、構造を簡単にして小型化を図ることが要求されるとともに垂直筒や通風ダクトにより視界が遮られて圧迫感を感じるという課題があり、圧迫感を感じないようにすることが要求されている。
【０００６】
また、上昇しようとするたばこの煙を上から下に押し下げるため吹き出し風速や風量の大きいものが必要となり、煙の補集効率も悪化するという課題があり、補集効率を高めることが要求されている。
【０００７】
さらに、循環する空気のたばこの煙に含まれる有害物質濃度が運転時間につれて高まることとなり、吹出口から吹き出される有害物質濃度の高い空気を吸った場合、健康上悪影響をおよぼすという課題があり、空気中に含まれる有害物質濃度を下げることが要求されている。
【０００８】
本発明は、このような従来の課題を解決するもので、装置の小型化および騒音の低減化を図ることができ、また、圧迫感を感じることがなく、補集効率も高めることができ、また、有害物質濃度を下げて健康上の悪影響を少なくすることのできる空気清浄装置を提供することを目的としている。
【０００９】
【課題を解決するための手段】
本発明の空気清浄装置は、上記目的を達成するために、内部に集塵部および送風装置を設けた本体と、この本体の一端部の上面より突出して設けられる吹出口を有した吹出部と、前記本体の他端部の上面より突出し、前記吹出口に対向して設けられる吸込口を有した吸込部とを備え、前記本体上に、前記吹出口と吸込口間に略水平方向に流れる空気流を形成する構成としたものである。
【００１０】
本発明によれば、装置の小型化および騒音の低減化を図ることができ、また、圧迫感を感じることがなく、補集効率も高めることのできる空気清浄装置が得られる。
【００１１】
また、他の手段は、内部に集塵部および送風装置を設けた本体と、この本体の一端部に前記送風装置の吹出空気流路に連通する吹出側空気通路と吹出口を有する形状で喫煙空間と非喫煙空間を区分けするように設けられるパネルと、このパネルの吹出口に対向し、前記本体の他端部の上面より突出した吸込部に設けられる吸込口とを備え、前記本体上に、前記パネル側に設けた吹出口と前記本体側に設けた吸込口間に略水平方向に流れる空気流を形成する構成としたものである。
【００１２】
本発明によれば、装置の小型化および騒音の低減化を図ることができ、また、圧迫感を感じることがなく、補集効率も高めることができ、また、パネルを利用して壁面に吹出口を設けることにより突出部分の少ないシンプル構造の空気清浄装置が得られる。
【００１３】
また、他の手段は、内部に集塵部および送風装置を設けた本体と、この本体の一端部に前記送風装置の吹出空気流路に連通する吹出側空気通路と吹出口を有する形状で喫煙空間と非喫煙空間を区分けするように設けられる吹出側パネルと、この吹出側パネルの吹出口に対向し、前記送風装置の吸込空気流路に連通する吸込側空気通路と吸込口を有する形状で喫煙空間と非喫煙空間を区分けするように設けられる吸込側パネルとを備え、前記本体上に、前記吹出側パネルに設けられた吹出口と、前記吸込側パネル側に設けられた吸込口間に略水平方向に流れる空気流を形成する構成としたものである。
【００１４】
本発明によれば、装置の小型化および騒音の低減化を図ることができ、また、圧迫感を感じることがなく、補集効率も高めることができ、また、吹出側パネルおよび吸込側パネルを設けることで簡単に喫煙空間と非喫煙空間を区分けすることができると共に、吹出側パネルと吸込側パネルを利用して壁面に吹出口や吸込口を設けることにより突出部分のないシンプル構造の空気清浄装置が得られる。
【００１５】
【発明の実施の形態】
本発明は、内部に集塵部および送風装置を設けた本体と、この本体の一端部の上面より突出して設けられる吹出口を有した吹出部と、前記本体の他端部の上面より突出し、前記吹出口に対向して設けられる吸込口を有した吸込部とを備え、前記本体上に、前記吹出口と吸込口間に略水平方向に流れる空気流を形成する構成としたものであり、本体上に発生したたばこの煙は吹出口から略水平方向に流れる空気流により、対向する吸込口に送られることとなり、上に上昇しようとするたばこの煙を自然な形で吸引除去することができ、補集効率が高められるとともに装置による圧迫感を感じることなく、装置の小型化、騒音の低減化を図ることができるという作用を有する。
【００１６】
また、内部に集塵部および送風装置を設けた本体と、この本体の一端部に前記送風装置の吹出空気流路に連通する吹出側空気通路と吹出口を有する形状で喫煙空間と非喫煙空間を区分けするように設けられるパネルと、このパネルの吹出口に対向し、前記本体の他端部の上面より突出した吸込部に設けられる吸込口とを備え、前記本体上に、前記パネル側に設けた吹出口と前記本体側に設けた吸込口間に略水平方向に流れる空気流を形成する構成としたものであり、本体上に発生したたばこの煙はパネルに設けた吹出口より略水平方向に流れる空気流により、本体側に設けた吸込口に送られることにより、上に上昇しようとするたばこの煙は自然な形で吸引除去され、高補集効率を実現することができ、また、パネルを設けることで簡単に喫煙空間と非喫煙空間を区分けすることができるだけでなく、パネルを利用して壁面に吹出口を設けることにより突出部分の少ないシンプル構造が得られるという作用を有する。
【００１７】
また、内部に集塵部および送風装置を設けた本体と、この本体の一端部に送風装置の吹出空気流路に連通する吹出側空気通路と吹出口を有する形状で喫煙空間と非喫煙空間を区分けするように設けられる吹出側パネルと、この吹出側パネルの吹出口に対向し、前記送風装置の吸込空気流路に連通する吸込側空気通路と吸込口を有する形状で喫煙空間と非喫煙空間を区分けするように設けられる吸込側パネルとを備え、前記本体上に、前記吹出側パネルに設けられた吹出口と、前記吸込側パネル側に設けられた吸込口間に略水平方向に流れる空気流を形成する構成としたものであり、本体上に発生したたばこの煙は送風装置が動作することで吸込側パネルに設けた吹出口より略水平方向に空気が押し出され、吸込側パネルに設けた吸込口から吸い込まれることにより、横方向への風の流れがつくられ、上に上昇しようとするたばこの煙を自然な形で吸引除去できるため高補集効率を実現する。また、吹出側パネルおよび吸込側パネルを設けることで簡単に喫煙空間と非喫煙空間を区分けすることができるだけでなく、吹出側パネルと吸込側パネルを利用して壁面に吹出口や吸込口を設けることにより突出部分のない、シンプル構造が得られるという作用を有する。
【００１８】
以下、本発明の実施例について図面を参照しながら説明する。
【００１９】
（実施例１）
図１および図２に示すように、モータ１の両軸に送風用ファン２を設けた送風装置３と、この送風装置３の風上にプリフィルター４と集塵フィルター５よりなる集塵部６と脱臭フィルター６ａを内部に設けた本体７内の送風装置３の吹出空気流路８に連通する吹出側空気通路９を有し、この本体７の一端部の上面より突出して設けられる吹出部１０に吹出口１１を設け、本体７の他端部の上面には吸込空気流路１２に連通する吸込側空気通路１３を有し、本体７の上面より突出する吸込部１４を設け、この吸込部１４には、吹出口１１に対向して吸込口１５を設け、吹出口１１から吸込口１５に向かい略水平方向に気流が形成されるように設け、本体７の上面にはテーブル１６を設け、このテーブル１６には人が近づくと送風装置３が運転される人感センサー１７を設け、下部に本体７の移動を容易にするキャスター１８を設け、操作の容易な位置に操作部１９を設ける。
【００２０】
また、吹出口１１から吹き出される吹き出し空気風量より、吸込口１５から吸い込まれる吸い込み空気風量を大きく形成し、本体７内に設けられる送風装置３の吸込空気流路１２と吹出空気流路８および吹出口１１から吸込口１５間に略水平方向に流れる空気流とにより循環空気風路を形成して構成する。
【００２１】
上記構成において、空気清浄装置を使用するときには、オフィス、病院、市役所等の公共施設で決められている喫煙場所に設置し、灰皿はテーブル１６上に置き、喫煙者が喫煙のためテーブル１６に近づくと、人感センサー１７が作動し、送風装置３が運転され、喫煙者の吸ったたばこの煙および灰皿上より発生するたばこの煙が、本体７の一端部の上面より上方に突出した吹出部１０の吹出口１１より吹き出される空気流が本体７の他端部の上面より突出した吸込部１４の吸込口１５に向かい略水平方向に流れ、略水平方向の横に流れる気流によりたばこの煙は吸込口１５に案内されて吸い込まれ、吸い込まれたたばこの煙は、吸込側空気通路１３を通り吸込空気流路１２に吸い込まれ、集塵部６の表面より略均一に集塵部６を通りたばこの煙は集塵され、浄化された空気が送風装置３より吹出空気流路８および吹出側空気通路９を通り吹出口１１より吹き出される循環空気風路が形成され清浄化された空気によりテーブル１６の上方に略水平方向の気流が形成されることとなる。
【００２２】
このように本発明の実施例１の空気清浄装置によれば、内部に集塵部６および送風装置３を設けた本体７と、この本体７の一端部の上面より突出して設けられる吹出口１１を有した吹出部１０と、本体７の他端部の上面より突出し、吹出口１１に対向して設けられる吸込口１５を有した吸込部１４を備え、本体７上に、吹出口１１と吸込口１５間に略水平方向に流れる空気流を形成する構成としたので、たばこの煙は吹出口１１から水平方向に流れる空気流により押され対向する吸込口１５から吸い込まれることとなり、上に上昇しようとするたばこの煙を自然な形で吸引除去することができ、捕集効率の良い圧迫感を感じることのない空気清浄装置が得られる。
【００２３】
また、吹出口１１から吹き出される吹き出し空気風量より吸込口１５から吸い込まれる吸い込み空気風量を大きくしたので、吸込口１５から吸い込まれる空気のすべてが吹出口１１から吹き出した清浄空気ではなく、外部からの空気も吸い込むため、その分あるいは多い分、吹出口１１から吹き出した清浄空気が吸い込まれずに外部に漏れるが、吹出口１１から吹き出す風量と吸込口１５から吸い込む風量の関係を吹出口１１＜吸込口１５とすることにより、吸込口１５にたばこの煙を確実に導くことのできる高捕集効率の良い空気清浄機が得られる。
【００２４】
また、本体７内に設けられる送風装置３の吸込空気流路１２と吹出空気流路８および吹出口１１から吸込口１５間に略水平方向に流れる空気流とにより循環空気風路を形成したので、集塵部６で除去できなかったたばこの煙に含まれている有害物質を周囲にまき散らさないこととなる。
【００２５】
（実施例２）
図３および図４に示すように、内部に集塵部６および送風装置３を設けた本体７Ａの一端部に送風装置３の吹出空気流路８に連通する吹出側空気通路９Ａと吹出口１１Ａを有する形状で喫煙空間２０と非喫煙空間２１を区分けするようにパネル２２を設け、このパネル２２の吹出口１１Ａに対向し本体７Ａの他端部の上面より突出した吸込部１４に設けられる吸込口１５を備え、本体７Ａ上に、このパネル２２側に設けた吹出口１１Ａと本体７Ａ側に設けた吸込口１５間に略水平方向に流れる空気流を形成した構成とする。
【００２６】
上記構成において、喫煙空間２０で発生したたばこの煙は、パネル２２に設けた吹出口１１Ａより本体７Ａ側に設けた吸込口１５に向かい略水平方向により吸込口１５に送られて集塵部６により集塵され浄化された空気が吹出口１１Ａより吹き出され、非喫煙空間２１側にたばこの煙が流れていくのがなくなる。
【００２７】
なお、本実施例では吹出口１１Ａ側にパネル２２を設けたが、吸込口１５側にパネル２２を設けても効果は同じである。
【００２８】
このように本発明の実施例２の空気清浄装置によれば、内部に集塵部６および送風装置３を設けた本体７Ａと、本体７Ａの一端部に送風装置３の吹出空気流路８に連通する吹出側空気通路９Ａと吹出口１１Ａを有する形状で喫煙空間２０と非喫煙空間２１を区分けするように設けられるパネル２２と、このパネル２２の吹出口１１Ａに対向し、本体７Ａの他端部の上面より突出した吸込部１４に設けられる吸込口１５とを備え、本体７Ａ上に、パネル２２側に設けた吹出口１１Ａと本体７Ａ側に設けた吸込口１５間に略水平方向に流れる空気流を形成する構成としたので、たばこの煙は送風装置３が動作することでパネル２２に設けた吹出口１１Ａから水平方向に流れる気流により対向する吸込口１５に吸い込まれることとなり、横方向への風の流れができ、上に上昇しようとするたばこの煙を自然な形で吸引除去することができ、高捕集効率を実現できる。
【００２９】
また、パネル２２を設けることで、簡単に喫煙空間２０と非喫煙空間２１を区分けすることができるだけでなく、パネル２２を利用して壁面に吹出口１１Ａを設けることにより突出部分の少ない、シンプル構造の空気清浄装置が得られる。
【００３０】
（実施例３）
図５に示すように、内部に集塵部６および送風装置３を設けた本体７Ｂと、本体７Ｂの一端部に送風装置３の吹出空気流路８に連通する吹出側空気通路９Ｂと吹出口１１Ｂを有する形状で喫煙空間２０と非喫煙空間２１を区分けするように吹出側パネル２３を設け、この吹出側パネル２３の吹出口１１Ｂに対向し、送風装置３の吸込空気流路１２に連通する吸込側空気通路１３Ａと吸込口１５Ａを有する形状で喫煙空間２０と非喫煙空間２１を区分けするように吸込側パネル２４を設け、本体７Ｂ上、吹出側パネル２３に設けられた吹出口１１Ｂと、吸込側パネル２４に設けられた吸込口１５Ａ間に略水平方向に流れる空気流を形成する構成とする。
【００３１】
上記構成において、吹出側パネル２３と吸込側パネル２４間に形成される喫煙空間２０により発生したたばこの煙は、吹出側パネル２３に設けた吹出口１１Ｂより吸込側パネル２４側に設けた吸込口１５Ａに向かい略水平方向の気流により吸込口１５Ａに送られて集塵部６により集塵され浄化された空気が吹出口１１Ｂより吹き出され、非喫煙空間２１側にたばこの煙が流れていくことがなくなる。
【００３２】
このように本発明の実施例３の空気清浄装置によれば、内部に集塵部６および送風装置３を設けた本体７Ｂと、この本体７Ｂの一端部に送風装置３の吹出空気流路８に連通する吹出側空気通路９Ｂと吹出口１１Ｂを有する形状で喫煙空間２０と非喫煙空間２１を区分けするように設けられる吹出側パネル２３とこの吹出側パネル２３の吹出口１１Ｂに対向し、送風装置３の吸込空気流路１２に連通する吸込側空気通路１３Ａと吸込口１５Ａを有する形状で喫煙空間２０と非喫煙空間２１を区分けするように設けられる吸込側パネル２４とを備え、本体７Ｂ上に、吹出側パネル２３に設けられた吹出口１１Ｂと吸込側パネル２４に設けられた吸込口１５Ａ間に略水平方向に流れる空気流を形成する構成としたので、たばこの煙は送風装置３が動作することで、本体７Ｂの一端部側の吹出側パネル２３に設けた吹出口１１Ｂから水平方向に空気が押し出され、本体７Ｂの他方部側の吸込側パネル２４に設けた吸込口１５Ａから吸い込まれることにより、横方向への風の流れがつくられ、上に上昇しようとするたばこの煙を自然な形で吸引除去できるため高捕集効率を実現することができ、また、吹出側パネル２３および吸込側パネル２４を設けることで、簡単に喫煙空間２０と非喫煙空間２１を区分けすることができるだけでなく、吹出側パネル２３と吸込側パネル２４を利用して壁面に吹出口１１Ｂや吸込口１５Ａを設けることにより突出部分のない、シンプル構造の空気清浄装置が得られる。
【００３３】
（実施例４）
図６に示すように、送風装置３の吹出空気流路８に連通する連通口２５を本体７Ｃの下部に設け、集塵部６を通り循環する清浄空気の一部を本体７Ｃ外部に排出する構成とする。
【００３４】
上記構成において、集塵部６を通り清浄された空気の一部が吹出空気流路８Ａから連通口２５を通り本体７Ｃ外に排出されることにより、吸込口１５からは循環空気以外のたばこの煙を含まない通常の空気が流入され、連通口２５から排出される空気量に見合う空気が補給されることとなる。
【００３５】
このように本発明の実施例４の空気清浄装置によれば、送風装置３の吹出空気流路８Ａに連通する連通口２５を本体７Ｃの下部に設け、集塵部６を通り循環する清浄空気の一部を本体７Ｃ外部に排出する構成としたので、循環する空気内に含まれるたばこの有害物質濃度がある一定以上にならない健康上の安全が高められることとなる。
【００３６】
（実施例５）
図７に示すように、吹出口１１Ｃと吸込口１５Ｂを縦長に形成し、吹出口１１Ｃには複数の吹出側の整流板２６Ａを設け、吸込口１５Ｂには複数の吸込側の整流板２６Ｂを設け構成する。
【００３７】
上記構成において、空気清浄装置が運転されると、吹出口１１Ｃからは吹出側の整流板２６Ａの面により整流され略均一風速で吹き出し、吸込側の整流板２６Ｂの面に沿い吸い込まれることとなる。
【００３８】
このように本発明の実施例５の空気清浄装置によれば、吹出口１１Ｃと吸込口１５Ｂに夫々風速を風速を均一にする吹出側の整流板２６Ａと吸込側の整流板２６Ｂを設けたので、吹出口１１Ｃ側では整流板２６Ａの面に沿い吹き出し、吸込口１５Ｂ側では整流板２６Ｂの面に沿い吸い込まれることとなり、同じ風量でも風速を下げることができ、乱流を防ぐことができ、たばこの煙を確実に捕集することができる。
【００３９】
（実施例６）
図８に示すように、本体７Ｄの上面に送風装置３の吸込空気流路１２Ａに連通する吸込グリル２７ａを有した本体側吸込口２７を設け構成する。
【００４０】
上記構成において、空気清浄装置が運転すると、たばこの煙は吹出口１１から吸込口１５に向かい水平方向に流れる気流により吸込口１５に吸い込まれると共に、本体７Ｄの上面に設けた本体側吸込口２７に吹出口１１から吹出された空気の一部が吸い込まれ吸込空気流路１２Ａに送られて集塵部６により浄化されることとなる。
【００４１】
このように本発明の実施例６の空気清浄装置によれば、本体７Ｄの上面に送風装置３の吸込空気流路１２Ａに連通する本体側吸込口２７を設けたので、たばこの煙は吹出口１１から吸込口１５に向かう水平方向の気流により吸込口１５に吸い込まれると共に、吹出口１１から本体側吸込口２７に向かう斜め下方向に向かう気流により、本体側吸込口２７に吸い込まれることとなりたばこの煙はさらに下方向に押えられて高捕集効率を得ることができる。
【００４２】
（実施例７）
図９に示すように、本体７Ｅの吹出部１０Ａに吸込口１５に向かい略水平方向に送風する水平吹出口２８と、本体側吸込口２７Ａに向かい斜め下方向に送風する斜め吹出口２９を設け、斜め吹出口２９を水平吹出口２８の下方側に配設し、水平吹出口２８と斜め吹出口２９より吹き出す構成とする。
【００４３】
上記構成において、空気清浄装置が運転されると、水平吹出口２８からは水平方向の気流が発生し、斜め吹出口２９からは斜め下方向の気流が発生することとなり、灰皿に置いたたばこの煙から発生する煙や、口から吐き出した煙は斜め吹出口２９から吹き出される斜め下方向の気流により、本体側吸込口２７Ａに吸い込まれ、これに漏れた煙は水平吹出口２８から水平方向に吹き出される空気流により吸込口１５に吸い込まれることとなる。
【００４４】
このように本発明の実施例７の空気清浄装置によれば、本体７Ｅの吹出部１０Ａに吸込口１５に向かい略水平方向に送風する水平吹出口２８と、本体側吸込口２７Ａに向かい斜め下方向に送風する斜め吹出口２９を設け、斜め吹出口２９を水平吹出口２８の下方側に配設し、水平吹出口２８と斜め吹出口２９より吹き出す構成としたので、たばこを吸って口から吐き出された煙や、灰皿等に置いたたばこから発生する濃度の濃い煙を強制的に斜め吹出口２９から本体側吸込口２７Ａに向かう斜め下向きの気流により吸い込み、漏れた煙を水平吹出口２８から吸込口１５に向かう水平方向の気流により捕集することができ、捕集効率が高められる。
【００４５】
なお、実施例７では本体側に吹出口を設けたものを用い説明したが、パネル側に吹出口を設けた場合においても同様の作用効果をもたらすことは言うまでもない。
【００４６】
（実施例８）
図１０に示すように、斜め吹出口２９Ａを幅を小さくして縦長に形成した構成とする。
【００４７】
上記構成において、空気清浄装置を運転すると、たばこを吸って口から吐き出した煙や、灰皿に置いたたばこの煙から発生する濃度のこい煙は、強制的に斜め吹出口２９Ａから本体側吸込口２７Ａに向かう斜め方向の気流により押し下げられて本体側吸込口２７Ａから吸い込まれると共に、これに漏れた煙は水平吹出口２８から吸込口１５に向かう水平方向の気流により吸込口１５に吸い込まれて捕集することとなる。そして、斜め吹出口２９Ａの幅を小さく縦長に形成することにより、本体側吸込口２７Ａに確実に煙を導き捕集することができる。
【００４８】
このように本発明の実施例８の空気清浄装置によれば、斜め吹出口２９Ａの幅を小さくして縦長に形成したので、たばこの煙が本体側吸込口２７Ａから吸い込まれずに横から漏れることがなくなり、確実に本体側吸込口２７Ａにたばこの煙を導くことができ、捕集効率を高めることができる。
【００４９】
（実施例９）
図１１に示すように、水平吹出口２８Ａと斜め吹出口２９Ｂ間の吹出側空気通路９Ｂに吹き出す風量を可変する吹出弁３０を弁駆動装置３１を介して設け、吸込口１５Ｃの下流側に吸い込み風量を可変する吸込弁３２を弁駆動装置３１Ａを介して設け、水平吹出口２８Ａと吸込口１５Ｃの風量を一定に保つように構成する。
【００５０】
上記構成において、本体７Ｆの処理風量を切り換えても処理風量に連動して風路を調整することにより水平吹出口２８Ａと吸込口１５Ｃの風量を一定に保つことができる。
【００５１】
このように本発明の実施例９の空気清浄装置によれば、水平吹出口２８Ａと斜め吹出口２９Ｂ間の吹出側空気通路９Ｂに吹き出す風量を可変する吹出弁３０を設け、吸込口１５Ｃの下流側に吸い込み風量を可変する吸込弁３２を設け、水平吹出口２８Ａと吸込口１５Ｃの風量を一定に保つように構成したので、吹出弁３０と吸込弁３２を風量により連動させて可変することにより、風量を切り換えた場合でも、水平方向に流れる空気の流れの速度を一定に保つことができ、どの風速においても確実にたばこの煙を捕らえて吸込口１５Ｃに運ぶことができ、高捕集効率を得ることができる。
【００５２】
（実施例１０）
図１２に示すように、水平吹出口２８Ｂと斜め吹出口２９Ｃの上流側の風路に空気溜め部３３を設けた構成とする。
【００５３】
上記構成において、空気清浄装置が運転されると、水平吹出口２８Ｂおよび斜め吹出口２９Ｃに送られる吹き出し空気は一度空気溜め部３３に溜められ、気流の乱れを緩和することができる。
【００５４】
このように本発明の実施例１０の空気清浄装置によれば、水平吹出口２８Ｂと斜め吹出口２９Ｃの上流側の風路に空気溜め部３３を設けたので、一度空気溜め部３３で気流の乱れを緩和することができ、あらかじめ定めた比率で空気を水平吹出口２８Ｂと斜め吹出口２９Ｃとに振り分けることができ、安定した吹き出し風が得られることとなり、確実に吸込口１５と本体側吸込口２７に振り分け吸い込ませることができ、安定した吹き出し風が得られることで確実に吸込口１５と本体側吸込口２７に、たばこの煙を導くことができ、高捕集効率が得られる。
【００５５】
【発明の効果】
以上の実施例から明らかなように、本発明によれば内部に集塵部および送風装置を設けた本体と、この本体の一端部の上面より突出して設けられる吹出口を有した吹出部と、前記本体の他端部の上面より突出し、前記吹出口に対向して設けられる吸込口を有した吸込部とを備え、前記本体上に、前記吹出口と吸込口間に略水平方向に流れる空気流を形成する構成としたので、圧迫感を感じることなく、たばこの煙の捕集効率を高めることができる効果のある空気清浄装置を提供することができる。
【００５６】
また、内部に集塵部および送風装置を設けた本体と、この本体の一端部に前記送風装置の吹出空気流路に連通する吹出側空気通路と吹出口を有する形状で喫煙空間と非喫煙空間を区分けするように設けられるパネルと、このパネルの吹出口に対向し、前記本体の他端部の上面より突出した吸込部に設けられる吸込口とを備え、前記本体上に、前記パネル側に設けた吹出口と前記本体側に設けた吸込口間に略水平方向に流れる空気流を形成する構成としたので、たばこの煙の捕集効率がさらに高められると共に、突出部分の少ないシンプル構造となる空気清浄装置が得られる。
【００５７】
また、内部に集塵部および送風装置を設けた本体と、この本体の一端部に前記送風装置の吹出空気流路に連通する吹出側空気通路と吹出口を有する形状で喫煙空間と非喫煙空間を区分けするように設けられる吹出側パネルと、この吹出側パネルの吹出口に対向し、前記送風装置の吸込空気流路に連通する吸込側空気通路と吸込口を有する形状で喫煙空間と非喫煙空間を区分けするように設けられる吸込側パネルとを備え、前記本体上に、前記吹出側パネルに設けられた吹出口と、前記吸込側パネル側に設けられた吸込口間に略水平方向に流れる空気流を形成する構成としたので、たばこの煙を高捕集効率で捕集できると共に、喫煙空間と非喫煙空間を区分けすることができるだけでなく、パネル側に吹出口および吸込口を設けることにより突出部分のないシンプル構造の空気清浄装置が得られる。
【００５８】
また、吹出口から吹き出される吹き出し空気風量より、吸込口から吸い込まれる吸い込み空気風量を大きくなるように構成したので、たばこの煙を確実に導くことのできる高捕集効率の空気清浄装置が得られる。
【００５９】
また、本体内に設けられる送風装置の吸込空気流路と吹出空気流路および吹出口から吸込口間に略水平方向に流れる空気流とにより循環空気風路を形成したので、集塵部では除去できないたばこに含まれる有害物質を撒き散らさない空気清浄装置が得られる。
【００６０】
また、送風装置の吹出空気流路に連通する連通口を本体の下部に設け、循環する清浄空気の一部を本体外部に排出する構成としたので、循環する空気内に含まれるたばこの有害物質濃度がある一定以上にならない健康上安全な空気清浄装置が得られる。
【００６１】
また、吹出口と吸込口に風速を略均一にする整流板を設けたので、同じ風速が下げられ、乱流を防ぐことにより確実にたばこの煙を捕らえることのできる高捕集効率の空気清浄装置が得られる。
【００６２】
また、本体の上面に送風装置の吸込空気流路に連通する本体側吸込口を設けたので、上昇しようとするたばこの煙をさらに下方向に抑えることができ、高捕集効率の空気清浄装置が得られる。
【００６３】
また、吹出側となる本体の吹出部またはパネルに、吸込口に向かい略水平に送風する水平吹出口と、本体側吸込口に向かい斜め下方に送風する斜め吹出口を設け、前記斜め吹出口を前記水平吹出口の下方側に配設し、前記水平吹出口および斜め吹出口より送風する構成としたので、たばこを吸って口から吐き出した煙や灰皿上に置いたたばこの煙等の濃度の濃い煙を強制的に斜め吹出口から本体側吸込口に向かう気流により押し下げ、これに漏れた煙を水平吹出口から吸込口に向かう略水平方向の気流により吸込口に送り捕集することとなり、高捕集効率の空気清浄装置が得られる。
【００６４】
また、斜め吹出口を縦長に形成したので、本体側吸込口から吸い込まれずに漏れることがなくなり、確実に本体側吸込口にたばこの煙を導くことのできる高捕集効率の空気清浄装置が得られる。
【００６５】
また、水平吹出口と斜め吹出口間の吹出側空気通路に吹き出す風量を可変する吹出弁を設け、吸込口の下流側に吸い込み風量を可変する吸込弁を設け、前記水平吹出口と吸込口の風量を一定に保つように構成したので、水平方向に流れる気流の速度を一定に保つことができ、どの風速においても確実にたばこの煙を捕集できる高捕集効率の空気清浄装置が得られる。
【００６６】
また、水平吹出口と斜め吹出口の上流側に空気溜め部を設けたので、安定した吹き出し風が得られることにより、確実に吸込口と本体側吸込口にたばこの煙を導くことのできる高捕集効率の空気清浄装置が得られる。
【図面の簡単な説明】
【図１】本発明の実施例１の空気清浄装置の断面図
【図２】同空気清浄装置の斜視図
【図３】本発明の実施例２の空気清浄装置の断面図
【図４】同空気清浄装置の斜視図
【図５】本発明の実施例３の空気清浄装置の断面図
【図６】本発明の実施例４の空気清浄装置の断面図
【図７】本発明の実施例５の空気清浄装置の断面図
【図８】本発明の実施例６の空気清浄装置の断面図
【図９】本発明の実施例７の空気清浄装置の断面図
【図１０】本発明の実施例８の空気清浄装置の断面図
【図１１】本発明の実施例９の空気清浄装置の断面図
【図１２】本発明の実施例１０の空気清浄装置の断面図
【符号の説明】
３        送風装置
６        集塵部
７        本体
７Ａ            本体
７Ｂ            本体
７Ｃ            本体
７Ｄ            本体
７Ｅ            本体
７Ｆ            本体
８        吹出空気流路
８Ａ            吹出空気流路
９        吹出側空気通路
９Ａ            吹出側空気通路
９Ｂ            吹出側空気通路
１０      吹出部
１１      吹出口
１１Ａ        吹出口
１１Ｂ        吹出口
１１Ｃ        吹出口
１２      吸込空気流路
１２Ａ        吸込空気流路
１３      吸込側空気通路
１３Ａ        吸込側空気通路
１４      吸込部
１５      吸込口
１５Ａ        吸込口
１５Ｂ        吸込口
１５Ｃ        吸込口
２０      喫煙空間
２１      非喫煙空間
２２      パネル
２３      吹出側パネル
２４      吸込側パネル
２５      連通口
２６Ａ        整流板
２６Ｂ        整流板
２７      本体側吸込口
２７Ａ        本体側吸込口
２８      水平吹出口
２８Ａ        水平吹出口
２８Ｂ        水平吹出口
２９      斜め吹出口
２９Ａ        斜め吹出口
２９Ｂ        斜め吹出口
２９Ｃ        斜め吹出口
３０      吹出弁
３２      吸込弁
３３      空気溜め部
【図１】
2004301422.tif 000003
【図２】
2004301422.tif 000004
【図３】
2004301422.tif 000005
【図４】
2004301422.tif 000006
【図５】
2004301422.tif 000007
【図６】
2004301422.tif 000008
【図７】
2004301422.tif 000009
【図８】
2004301422.tif 000010
【図９】
2004301422.tif 000011
【図１０】
2004301422.tif 000012
【図１１】
2004301422.tif 000013
【図１２】
2004301422.tif 000014